(57)【特許請求の範囲】
【請求項１】
電気抵抗の温度係数が正の特性をもつシート状抵抗体の両端部に電極を配設した面状ＰＴＣヒータを形成し、面状ＰＴＣヒータの上面側に均熱シートを積層すると共に面状ＰＴＣヒータの下面側に保護シートを積層し、面状ＰＴＣヒータの両端部で均熱シートと保護シートとをシールし、該両端部のシール部から均熱シートと保護シートとの重合部を外側方に連出してそれぞれ床暖房パネルの主体を構成するための基板の両側端まで至る長さの連出部をそれぞれ両端部に形成して成ることを特徴とする均熱シート付き床暖房用面状ＰＴＣヒータ。
【請求項２】
シート状抵抗体の両端部に配設した電極をシート状抵抗体の上面側に突出させることなく下面側に突出させて成ることを特徴とする請求項１記載の均熱シート付き床暖房用面状ＰＴＣヒータ。
【請求項３】
基板の上面に請求項１記載の均熱シート付き床暖房用面状ＰＴＣヒータを積層し、均熱シートの両端部の連出部を基板の上面の両端部に積層して成ることを特徴とする均熱シート付き床暖房用面状ＰＴＣヒータを用いた床暖房パネル。
【請求項４】
均熱シートの上面に電気絶縁シートを積層して成ることを特徴とする請求項３記載の均熱シート付き床暖房用面状ＰＴＣヒータを用いた床暖房パネル。
【請求項５】
シート状抵抗体の両端部に配設した電極をシート状抵抗体の上面側に突出させることなく下面側に突出させ、基板の上面に凹部を設け、基板の凹部に面状ＰＴＣヒータの電極を嵌め込んで成ることを特徴とする請求項３又は請求項４記載の均熱シート付き床暖房用面状ＰＴＣヒータを用いた床暖房パネル。
【発明の詳細な説明】
【０００１】
【発明の属する技術分野】
本発明は、均熱シート付き床暖房用面状ＰＴＣヒータ及び均熱シート付き床暖房用面状ＰＴＣヒータを用いた床暖房パネルに関するものである。
【０００２】
【従来の技術】
従来から電気抵抗の温度係数が正の特性をもつシート状抵抗体１の両端部に電極２を配設した面状ＰＴＣヒータ３を形成し、面状ＰＴＣヒータ３の上面にアルミニウム箔のような均熱シート４を積層すると共に面状ＰＴＣヒータの下面側に保護シートを積層し、面状ＰＴＣヒータの両端部で均熱シートと保護シートとをシールした図１０（ａ）に示すような均熱シート４付き面状ＰＴＣヒータ３が知られている。この端部におけるシール部２０の巾Ｍは略１０ｍｍ程度である。
【０００３】
そして、上記のような均熱シート４付き面状ＰＴＣヒータ３を、該均熱シート４付き面状ＰＴＣヒータ３よりも巾広の基板７の上に積層して図１０（ｂ）に示すような床暖房パネル６を構成している。このような構成の床暖房パネル６は図１１（ａ）のように並べて施工されるものであるが、床暖房パネルの側端部に均熱シート４付き面状ＰＴＣヒータ３が存在しない部分があるため、上記の床暖房パネルを敷設した床の温度分布は図１１（ｂ）のようになり、床暖房パネル６の側端部の均熱シート４付き面状ＰＴＣヒータ３が存在しない部分で温度が低下し、温度の不均一が生じてしまう。
【０００４】
ところで、基板７上に均熱シート４付き面状ＰＴＣヒータ３を積層した床暖房パネル６を床下地に載設して釘やビス等により固着する場合があるが、この場合には面状ＰＴＣヒータ３が存在しない部分で釘打ちやビス止めする必要があり、また、床暖房パネル６の上に床表面材を敷設して該床表面材を釘やビス等で固定する場合も、釘やビスを面状ＰＴＣヒータ３が存在しない部分で打ち込む必要があり、この点でも床暖房パネルに均熱シート４付き面状ＰＴＣヒータ３が存在しない部分を設けてこの部分で確実に釘打ちやビス止めができるようにすることも必要である。また、面状ＰＴＣヒータ３を基板７いっぱいまで拡げて積層することも考えられるが、隣接する床暖房パネル６同士で電極が接近しすぎて電気的に問題が生じる可能性があり、面状ＰＴＣヒータ３を基板７いっぱいまで拡げて積層するには問題がある。また、市販の面状ＰＴＣヒータ３は床暖房パネル６のモジュールと異なるが、市販の面状ＰＴＣヒータ３はコストが高いため、床暖房パネル６を市販の面状ＰＴＣヒータ３のサイズに合わせることも考えられるが、これだと建築モジュールが異なることになり、施工時の寸法合わせが困難となり、施工時の寸法合わせを容易にするためには建築モジュールに対応したモジュールの床暖房パネル６に市販の面状ＰＴＣヒータを用いる必要がある。この点でも床暖房パネル６よりも面状ＰＴＣヒータ３のサイズが小さくなる（なお、面状ＰＴＣヒータを拡げて発熱面積を増大させるとＰＴＣ部分が増加し、コストアップにつながる）。
【０００５】
上記のような理由により従来にあっては、図１０（ｂ）のように床暖房パネル６の両側端部上面に均熱シート４付き面状ＰＴＣヒータ３が存在しない部分を設ける必要があった。
【０００６】
また、従来にあっては、面状ＰＴＣヒータ３の両端部に電極２を設けたものにおいて、電極２が面状ＰＴＣヒータ３の上面に突出し、このため、図１２のようにシート状抵抗体１の上面と床表面材９との間に隙間Ｓが生じて床鳴りの原因となったり、あるいは床表面材９からの荷重が電極２部分に集中してこの部分が損傷しやすいという問題があった。
【０００７】
【発明が解決しようとする課題】
本発明は上記の点に鑑みてなされたものであり、複数並べて敷設した場合にコストを抑えつつ温度の不均一部分が生じないようにし、また、床鳴りが生じにくく、荷重がかかった場合に一箇所に集中してかかることがなくて損傷しにくい均熱シート付き床暖房用面状ＰＴＣヒータ及び均熱シート付き床暖房用面状ＰＴＣヒータを用いた床暖房パネルを提供することを課題とするものである。
【０００８】
【課題を解決するための手段】
上記課題を解決するために本発明に係る均熱シート付き床暖房用面状ＰＴＣヒータは、電気抵抗の温度係数が正の特性をもつシート状抵抗体１の両端部に電極２を配設した面状ＰＴＣヒータ３を形成し、面状ＰＴＣヒータ３の上面側に均熱シート４を積層すると共に面状ＰＴＣヒータ３の下面側に保護シート１２’を積層し、面状ＰＴＣヒータ３の両端部で均熱シート４と保護シート１２’とをシールし、該両端部のシール部２０から均熱シート４と保護シート１２’との重合部を外側方に連出してそれぞれ床暖房パネルの主体を構成するための基板７の両側端まで至る長さの連出部５をそれぞれ両端部に形成して成ることを特徴とするものである。このような構成とすることで、面状ＰＴＣヒータ３を複数枚並べた場合に、面状ＰＴＣヒータ３のシート状抵抗体１と隣接する面状ＰＴＣヒータ３のシート状抵抗体１とが離れていても、面状ＰＴＣヒータ３のシート状抵抗体１と隣接する面状ＰＴＣヒータ３のシート状抵抗体１との間の部分に位置する均熱シート４の面状ＰＴＣヒータ３の両端部よりも外側方に連出している両端部の連出部５の存在により温度の不均一が生じないようにできるものである。また、均熱シート４と保護シート１２’との重合部をそれぞれ両端部のシール部２０の両外側方に連出して連出部５を形成してあるので、両側にそれぞれ連出した連出部５の裏面側を保護シート１２’で保護できる。
【０００９】
また、シート状抵抗体１の両端部に配設した電極２をシート状抵抗体１の上面側に突出させることなく下面側に突出させることが好ましい。このような構成とすることで、シート状抵抗体１の上面側に床表面材９を敷設した場合に、面状ＰＴＣヒータ３の上面に積層した均熱シート４との間に隙間が生じないようにできるものである。
【００１０】
また、本発明の均熱シート付き面状ＰＴＣヒータを用いた床暖房パネルは、基板７の上面に請求項１記載の均熱シート４付き面状ＰＴＣヒータ３を積層し、均熱シート４の両端部の連出部５を基板７の上面の両端部に積層して成ることを特徴とするものである。このように、床暖房パネル６の上面部の両端部に均熱シート４の両端部の連出部５があるため、床暖房パネル６の上面全体において温度の不均一が生じないようにでき、これにより、床暖房パネル６同士を隣接して施工しても、温度の不均一が生じないようにできるものである。また、床暖房パネル６を床下地材に載置して釘やビスで固着する場合や、床暖房パネル６の上に床表面材９を敷設する場合、面状ＰＴＣヒータ３の両端部よりも外側方に連出した連出部５部分で釘打ちやビス止め等により固着することで床暖房パネル６を床下地材に載設したり、あるいは床表面材９を床暖房パネル６部分に固着するという固着構成も可能となり、ＰＴＣヒータ３部分を損傷することがないものである。また、床暖房パネル６を並設しても隣接する床暖房パネル６同士で電極２が接近しすぎることがなく、電気的に問題が生じないようにできるものである。
【００１１】
また、均熱シート４の上面に電気絶縁シート２１を積層することが好ましい。図５に示すような床表面材９を追加施工するものにおいては、特に、露出する面状のＰＴＣヒータ３の電気絶縁がより保たれるものである。このように、均熱シート４の上面に電気絶縁シート２１を積層してあるので、均熱シート４の電気絶縁を行うことができるものである。
【００１２】
また、シート状抵抗体１の両端部に配設した電極２をシート状抵抗体１の上面側に突出させることなく下面側に突出させ、基板７の上面に凹部８を設け、基板７の凹部８に面状ＰＴＣヒータ３の電極２を嵌め込むことが好ましい。このような構成とすることで、基板７の上面にＰＴＣヒータ３を積層した場合、シート状抵抗体１の下面側に突出した電極２を基板７の上面の凹部８に嵌め込んで収めることができ、これにより床暖房パネル６の上面部を電極２が上面側に突出しない平坦面とすることができ、床暖房パネル６の上面部に床表面材９を敷設した場合に、隙間が生じないようにできるものである。
【００１３】
【発明の実施の形態】
以下、本発明を添付図面に示す実施形態に基づいて説明する。
【００１４】
電気抵抗の温度係数が正の特性をもつシート状抵抗体１の両端部に電極２を配設して面状ＰＴＣヒータ３を形成し、この面状ＰＴＣヒータ３の上面に均熱シート４を積層すると共に面状ＰＴＣヒータ３の下面に保護シート１２’を積層し、面状ＰＴＣヒータ３の両端部で均熱シート４と保護シート１２’とをシールし、更に該シール部２０から少なくとも均熱シート４を外側方に連出して巾広の連出部５を形成して均熱シート４付き面状ＰＴＣヒータ３を形成してある。本発明においては両端部のシール部２０から均熱シート４と保護シート１２’との重合部をそれぞれ外側方に連出して床暖房パネル６の両側端まで至る長さの連出部５を形成してある。このように両端部に巾広の連出部５を連出した均熱シート４付き面状ＰＴＣヒータ３は、後述の床暖房パネル６の主体を構成するための基板７の巾と等しくなっている。なお、実施形態においては例えば図１においてＭで示す示すシール部２０の巾は図８に示す従来例におけるシール部２０と同じ略１０ｍｍであり、シール部２０から外側方に連出する連出部５の長さＮは例えば略２３ｍｍであるが、連出部５の長さＮが上記寸法にのみに限定されないのはもちろんである。
【００１５】
面状ＰＴＣヒータ３に均熱シート４、保護シート１２’を積層するに当たっては、シート状抵抗体１の下面の両側部に電極２を配設して超音波融着により取着してシート状抵抗体１の下面の両側部に電極２を取着した面状ＰＴＣヒータ３を形成し、次に、この面状ＰＴＣヒータ３の上面にアルミ箔よりなる均熱シート４、絶縁用樹脂フィルム１０、融着用低融点樹脂層１１を積層したフィルム１２を配置するとともに、面状ＰＴＣヒータ３の下面にアルミ箔よりなる均熱シート４、絶縁用樹脂フィルム１０、融着用低融点樹脂層１１を積層した保護シート１２’を配置して超音波融着により固着するものであり、これにより、均熱シート４付きのフィルム１２が面状ＰＴＣヒータ３の上面に固着され、保護シート１２’が面状ＰＴＣヒータ３の下面に固着され、面状ＰＴＣヒータ３の両端部で均熱シート４付きのフィルム１２と保護シート１２’とを固着してシール部２０を形成し、更に、この面状ＰＴＣヒータ３の両端部のシール部２０から外方に向けて突出した均熱シート４付きのフィルム１２の端部と保護シート１２’の端部とを固着して、図１に示すような両端部に均熱シート４の両端部の巾広の連出部５が突出した均熱シート４付き面状ＰＴＣヒータ３を形成するものである。ここで、図７に示すように電極２の外周部の樹脂外皮部分２ａを外面に部分的に突起１５を突設しておくことで、超音波融着により融着する際に突起１５部分で確実に超音波融着ができるものである。
【００１６】
上記のように形成した均熱シート４付き面状ＰＴＣヒータ３は図７（ａ）のように、上面側には電極２が突出することなく、下面側にのみ電極２が突出した形状となっており、したがって均熱シート４付き面状ＰＴＣヒータ３の上面は連出部５を含めて平坦面となっている。
【００１７】
上記の均熱シート４付き面状ＰＴＣヒータ３には電極２の端部にリード線１３を接続具１４を介して接続するものであり、電極２の端部にリード線１３を接続具１４を介して接続するに当たってはかしめにより接続するものである。この接続具１４を介してかしめ固着した場合に図７（ｂ）のように、接続具１４部分が均熱シート４付き面状ＰＴＣヒータ３の上面側に突出することなく下面側にのみ突出するように構成するものである。
【００１８】
上記の均熱シート４付き面状ＰＴＣヒータ３を基板７の上面に積層接着することで図３に示すような床暖房パネル６を形成するものである。ここで、両側端部に巾広の連出部５を突出形成した均熱シート４と基板７の横巾とが同じになるように形成してあり、基板７の全上面に均熱シート４が配置されることになる。また、図５に示すように、均熱シート４付き面状ＰＴＣヒータ３は上面が平坦面で下面側に電極２部分とかしめによる接続部分（接続具１４部分）が突出しているので、基板７の上面に凹部８を形成して上記下面側に突出した電極２部分及びかしめによる接続部分を嵌め込むように構成してある。これにより、基板７の上面にＰＴＣヒータ３を積層した場合、床暖房パネル６の上面部の均熱シート４部分を全面にわたって電極２が上面側に突出しない平坦面とすることができる。
【００１９】
上記のような構成の床暖房パネル６は複数枚並べて施工されるものであり、複数枚並べた床暖房パネル６の上面に床表面材９を載設するものである。この場合、均熱シート４付き面状ＰＴＣヒータ３は上面が平坦面で下面側に電極２部分とかしめによる接続部分（接続具１４部分）が突出していて上面は平坦面となっているので、均熱シート４の上面に隙間無くぴったりと床表面材９の下面が密着するものであり、このため、隙間が生じることによる床鳴りの発生を防止し、また、床表面材９に荷重がかかった場合に一箇所に集中してかかることがなくて一箇所に集中してかかることによる損傷を防止できるものである。
【００２０】
ところで、上記のように複数の床暖房パネル９を敷設した場合、本発明の床暖房パネル９においては、温度分布が不均一とならないように電極２間寸法に制約のある面状ＰＴＣヒータ３であっても、均熱シート４の両端部を巾に制約のある面状ＰＴＣヒータ３の両端から巾広の連出部５を突出させてあるので、床暖房パネル６の上面全体において温度の不均一が生じないようにでき、これにより、床暖房パネル６同士を隣接して施工しても、図４（ｂ）に示すように温度の不均一が生じないようにできるものである。
【００２１】
また、床暖房パネル９を床下地材の上に載置して釘やビス等により固着する際に、面状ＰＴＣヒータ３の両端部よりも外側方に連出したの連出部５部分で床暖房パネル６に床表面材９を釘打ちやビス止め等により固着することで取付けることができ、また、床表面材９を敷設する場合も、面状ＰＴＣヒータ３の両端部よりも外側方に連出した連出部５部分で床暖房パネル６に床表面材９を釘打ちやビス止め等により固着することで取付けることを可能とし、これによりＰＴＣヒータ３部分を損傷することなく床暖房パネル９を施工したり、あるいは床暖房パネル９に床表面材９を固着したりできるものである。
【００２２】
なお、基板７の側端部の一端部に凹所を設けるとともに他端部に突所を設けて凹所と突所とを嵌合することで床暖房パネル９同士を接合するものの場合には、突所部分で釘打ちすることで床暖房パネル９を床下地材に固着することができるものである。この場合には連出部５から釘打ちやビス止め等をして床下地材に固着する必要がないものである。
【００２３】
なお、上記実施形態においては均熱シート４付き面状ＰＴＣヒータ３を基板７の上面に積層接着することで床暖房パネル６を形成した例を示したが、両側端部に外方向に向けて連出部５を連出した均熱シート４付き面状ＰＴＣヒータ３を現場で直接床下地材の上に敷設するようにしてもよいものである。この場合も、連出部５により巾広にできたにもかかわらず、連出部５を連出した均熱シート４付き面状ＰＴＣヒータ３の温度分布が不均一とならないようにきるものである。
【００２４】
なお、基板７は例えば、麻、綿、パーム、合成繊維、バインダーなどからなる繊維マットで形成してあり、この繊維マットで形成した基板７は上層７ａと下層７ｂとで構成されており、上層７ａが硬く、下層７ｂが上層７ａに対して柔らかくてクッション性を持たせてある。上層７ａを下層７ｂに対して硬くするには上記繊維ボードの場合、例えば、上層７ａのパーム量を多くし、下層７ｂのパーム量を少なくしてある。もちろん、基板７としては上記実施形態にのみ限定されないものである。
【００２５】
次に、図８、図９に本発明の他の実施形態を説明する。本実施形態においては、上面側に均熱シート４を積層すると共に面状ＰＴＣヒータ３の下面側に保護シート１２’を積層した前述の面状ＰＴＣヒータ３の上の均熱シート４の上面に更に電気絶縁シート２１を積層し、この電気絶縁シート２１により電気絶縁した均熱シート４付き床暖房用面状ＰＴＣヒータ３を基板７の上面に積層して床暖房パネル９を形成してある。このように均熱シート４の上面に電気絶縁シート２１を積層することで、均熱シート４の電気絶縁を図ることができるものである。ここで、電気絶縁シート２１の積層に当たっては、図９に示すように、面状ＰＴＣヒータ３の上面側に均熱シート４を積層すると共に面状ＰＴＣヒータ３の下面側に保護シート１２’を積層した後に図９のように、上の均熱シート４の上面に電気絶縁シート２１を積層して均熱シート４付き床暖房用面状ＰＴＣヒータ３を形成するものである。
【００２６】
上記実施形態においては、あらかじめ上面に電気絶縁シート２１を積層した均熱シート４付き床暖房用面状ＰＴＣヒータ３を基板７の上面に積層して床暖房パネル９を形成した例につき説明したが、均熱シート４付き床暖房用面状ＰＴＣヒータ３を基板７の上面に積層した後、均熱シートの上面に電気絶縁シート２１を積層してもよいものである。
【００２７】
【発明の効果】
上記のように本発明の請求項１記載の発明にあっては、電気抵抗の温度係数が正の特性をもつシート状抵抗体の両端部に電極を配設した面状ＰＴＣヒータを形成し、面状ＰＴＣヒータの上面側に均熱シートを積層すると共に面状ＰＴＣヒータの下面側に保護シートを積層し、面状ＰＴＣヒータの両端部で均熱シートと保護シートとをシールし、該両端部のシール部から均熱シートと保護シートとの重合部を外側方に連出してそれぞれ床暖房パネルの主体を構成するための基板の両側端まで至る長さの連出部をそれぞれ両端部に形成してあるので、電極間の巾に制約のある面状ＰＴＣヒータであっても両端部の連出部の存在により温度の不均一が生じない巾広の均熱シート付きＰＴＣヒータを提供できるものである。また、均熱シートと保護シートとの重合部をそれぞれ両端部のシール部の両外側方に連出して連出部を形成してあるので、両側にそれぞれ連出した連出部の裏面側を保護シートで保護できる。
【００２８】
また、請求項２記載の発明にあっては、上記請求項１記載の発明の効果に加えて、シート状抵抗体の両端部に配設した電極をシート状抵抗体の上面側に突出させることなく下面側に突出させてあるので、シート状抵抗体の上面側に床表面材を敷設した場合に、面状ＰＴＣヒータの上面に積層した均熱シートとの間に隙間が生じないようにできて、床鳴りが生じにくいと共に荷重がかかった場合に一箇所に集中して損傷するというようなことがないものである。
【００２９】
また、請求項３記載の発明にあっては、基板の上面に請求項１記載の均熱シート付き面状ＰＴＣヒータを積層し、均熱シートの両端部の連出部を基板の上面の両端部に積層してあるので、床暖房パネルの上面部の両端部に均熱シートの連出部があるため、床暖房パネルの上面全体において温度の不均一が生じないようにできるものであり、これにより、床暖房パネル同士を隣接して施工しても、温度の不均一が生じないものである。また、床暖房パネルを床下地材に載置して釘やビスで固着する場合や、床暖房パネルの上に床表面材を敷設する場合、面状ＰＴＣヒータの両端部よりも外側方に連出した連出部部分で釘打ちやビス止め等により固着することで床暖房パネルを床下地材に載設したり、あるいは床表面材を床暖房パネル部分に固着するという固着構成が可能となるものであり、ＰＴＣヒータ部分を損傷することなく施工できるものである。また、床暖房パネルを並設しても隣接する床暖房パネル同士で電極が接近しすぎることがなく、電気的に問題が生じないようにできるものである。また、市販の面状ＰＴＣヒータを建築モジュールに対応した床暖房パネルに使用できて、コストを低下し施工時の寸法合わせを容易にすることが可能である。
【００３０】
また、請求項４記載の発明にあっては、上記請求項３記載の発明の効果に加えて、均熱シートの上面に電気絶縁シートを積層してあるので、上の均熱シートの上面に電気絶縁シートを積層してあるので、均熱シートの電気絶縁を行うことができて安全である。
【００３１】
また、請求項５記載の発明にあっては、上記請求項３又は請求項４記載の発明の効果に加えて、シート状抵抗体の両端部に配設した電極をシート状抵抗体の上面側に突出させることなく下面側に突出させ、基板の上面に凹部を設け、基板の凹部に面状ＰＴＣヒータの電極を嵌め込んであるので、基板の上面にＰＴＣヒータを積層した場合、シート状抵抗体の下面側に突出した電極を基板の上面の凹部に嵌め込んで収めることができ、これにより床暖房パネルの上面部を電極が上面側に突出しない平坦面とすることができ、床暖房パネルの上面部に床表面材を敷設した場合に、隙間が生じないようにできて、床鳴りが生じにくいと共に荷重がかかった場合に一箇所に集中して損傷するというようなことがないものである。
【図面の簡単な説明】
【図１】本発明の斜視図である。
【図２】同上の分解断面図である。
【図３】同上の均熱シート付きＰＴＣヒータを基板に積層して形成した床暖房パネルの平面図である。
【図４】（ａ）は同上の床暖房パネルを複数並設した状態の平面図であり、（ｂ）は（ａ）の温度分布を示すグラフである。
【図５】（ａ）は同上の均熱シート付きＰＴＣヒータと基板と床表面材とを示す分解斜視図であり、（ｂ）は同上に用いる基板の斜視図である。
【図６】（ａ）は電極部分が下面側に突出している状態を示す説明図であり、（ｂ）はかしめにより固定した接続具部分が下方に突出している状態を示す斜視図である。
【図７】同上の電極の斜視図である。
【図８】本発明の他の実施形態の斜視図である。
【図９】同上の電気絶縁シートの積層工程の一例を示す説明図である。
【図１０】（ａ）は従来例を示すＰＴＣヒータの斜視図であり、（ｂ）は床暖房パネルの平面図である。
【図１１】（ａ）は従来例の床暖房パネルを複数並設した状態の平面図であり、（ｂ）は（ａ）の温度分布を示すグラフである。
【図１２】（ａ）は従来例の床暖房パネルの上面に床表面材を敷設した状態の分解斜視図であり、（ｂ）は断面図である。
【符号の説明】
１  シート状抵抗体
２  電極
３  面状ＰＴＣヒータ
４  均熱シート
５  連出部
６  床暖房パネル
７  基板
８  凹部
【図１】
0003596419.tif 000002
【図２】
0003596419.tif 000003
【図３】
0003596419.tif 000004
【図４】
0003596419.tif 000005
【図５】
0003596419.tif 000006
【図６】
0003596419.tif 000007
【図７】
0003596419.tif 000008
【図８】
0003596419.tif 000009
【図９】
0003596419.tif 000010
【図１０】
0003596419.tif 000011
【図１１】
0003596419.tif 000012
【図１２】
0003596419.tif 000013